(57)【要約】【課題】ＦＡＸ送信やＥ−ｍａｉｌ送信などの送信機能の操作性を向上させることができる画像形成装置の提供。【解決手段】原稿の画像を読み取るスキャナ部を備え、読み取った原稿の画像を用紙に転写するコピーモードと読み取った原稿の画像を他の装置に送信（ＦＡＸ送信やＥ−ｍａｉｌ送信）する送信モードとを有する画像形成装置において、読み取った原稿の画像を解析して当該原稿の画像中に宛先情報が含まれているかを判断し、前記宛先情報が含まれている場合に、動作モードを前記送信モードに設定する制御部を備える。【選択図】図３
2011009932.tif 000002
【特許請求の範囲】
【請求項１】
原稿の画像を読み取るスキャナ部を備え、読み取った原稿の画像を用紙に転写するコピーモードと読み取った原稿の画像を他の装置に送信する送信モードとを有する画像形成装置において、
読み取った原稿の画像を解析して当該原稿の画像中に宛先情報が含まれているかを判断し、前記宛先情報が含まれている場合に、動作モードを前記送信モードに設定する制御部を備える、ことを特徴とする画像形成装置。
【請求項２】
前記制御部は、前記送信モードが複数ある場合に、前記動作モードを前記宛先情報に対応する送信モードに設定する、ことを特徴とする請求項１に記載の画像形成装置。
【請求項３】
前記制御部は、読み取った原稿が所定のサイズであり、かつ、当該原稿の画像中に前記宛先情報が含まれている場合に、前記動作モードを前記送信モードに設定する、ことを特徴とする請求項１又は２に記載の画像形成装置。
【請求項４】
前記制御部は、原稿の読み取りに先立って前記動作モードが前記コピーモードに設定された場合は、当該原稿の画像中に前記宛先情報が含まれているか否かに関わらず、前記動作モードの切り替えを行わない、ことを特徴とする請求項１乃至３のいずれか一に記載の画像形成装置。
【請求項５】
原稿の画像を読み取るスキャナ部を備え、読み取った原稿の画像を用紙に転写するコピーモードと読み取った原稿の画像を他の装置に送信する送信モードとを有する画像形成装置において、
読み取った原稿の画像を解析して当該原稿の画像中に宛先情報が含まれているかを判断し、前記宛先情報が含まれている場合に、動作モードの切り替えをユーザに促す画面を表示部に表示させる制御部を備える、ことを特徴とする画像形成装置。
【請求項６】
前記制御部は、前記宛先情報に対応する送信モードの組み合わせが複数ある場合に、前記複数の組み合わせが選択可能となる画面を前記表示部に表示させる、ことを特徴とする請求項５に記載の画像形成装置。
【請求項７】
前記制御部は、読み取った原稿が所定のサイズであり、かつ、当該原稿の画像中に前記宛先情報が含まれている場合に、前記画面を前記表示部に表示させる、ことを特徴とする請求項５又は６に記載の画像形成装置。
【請求項８】
前記制御部は、前記動作モードを前記送信モードに設定した後に読み取った原稿の画像を、前記宛先情報で特定される宛先に送信する、ことを特徴とする請求項１乃至７のいずれか一に記載の画像形成装置。
【請求項９】
前記スキャナ部は、原稿ガラス上に載置された複数の原稿を読み取り、
前記制御部は、前記宛先情報を含む原稿以外の原稿を送信対象の原稿とする、ことを特徴とする請求項１乃至８のいずれか一に記載の画像形成装置。
【請求項１０】
前記スキャナ部は、自動原稿送り装置を備え、当該自動原稿送り装置で搬送された原稿の画像を読み取る領域とは異なる領域において、原稿ガラス上に載置された原稿の画像を読み取り、
前記制御部は、前記原稿ガラス上に載置された原稿の画像中に前記宛先情報が含まれているかを判断する、ことを特徴とする請求項１乃至８のいずれか一に記載の画像形成装置。
【請求項１１】
前記送信モードは、前記原稿の画像をＦＡＸ送信するモード、及び／又は、前記原稿の画像を添付した電子メールを送信するモードを含む、ことを特徴とする請求項１乃至１０のいずれか一に記載の画像形成装置。
【発明の詳細な説明】
【技術分野】
【０００１】
本発明は、画像形成装置に関し、特に、スキャンした原稿をコピーするコピーモードとスキャンした原稿のデータを送信する送信モードとを有する画像形成装置に関する。
【背景技術】
【０００２】
近年、スキャン機能やファクシミリ機能、Ｅ−ｍａｉｌ送信機能などを備える印刷装置（以下、画像形成装置と呼ぶ。）が普及している。この画像形成装置では、スキャナ機能を用いて原稿の画像を読み取り、読み取った画像を表示操作部で入力された宛先にＦＡＸ送信したり、Ｅ−ｍａｉｌ送信したりすることができる。
【０００３】
ここで、ＦＡＸ送信やＥ−ｍａｉｌ送信の際に宛先を入力するのは煩雑であることから、入力操作を簡略化する技術が提案されている。
【０００４】
例えば、下記特許文献１には、ファックス送信原稿ならびに名刺に印刷されたファックス番号および電話番号を読み取り可能な画像読取装置と、読み取ったファックス番号および電話番号を認識してそれぞれの番号データを出力する文字認識装置と、ファックス送信原稿が装置にセットされているか否かを検出する原稿検出部と、ファックス送信原稿が装置にセットされている場合は読み取ったファックス番号を基に自動発信し、ファックス送信原稿が装置にセットされていない場合は読み取った電話番号を基に自動発信するダイヤル発信部と、を備えるファクシミリ電話装置が開示されている。
【０００５】
また、下記特許文献２には、画像読取手段に名刺がセットされると、画像読取手段の読取モードを名刺モードに設定して、その名刺の画像を読み取り、それによって得た名刺画像データを光学的文字読み取り手段により図形文字認識させて上記名刺に記載された図形文字列に対応した文字コードデータを入力し、その入力した文字コードデータに、メールアドレスを特定する所定の文字列に対応するものが含まれている場合には、その文字コードデータからメールアドレスをあらわす情報を抽出し、メールアドレス情報として入力する名刺かどうかの判定を行い、名刺ならメールアドレスを読取り、アドレスに設定して送信するネットワークファクシミリ装置が開示されている。
【先行技術文献】
【特許文献】
【０００６】
【特許文献１】特開平６−２４４９７９号公報
【特許文献２】特開平１１−２７３１３号公報
【発明の概要】
【発明が解決しようとする課題】
【０００７】
上記公報に記載されているように、画像読取手段に名刺がセットされると、名刺からＦＡＸ番号やメールアドレス情報を読み取り、そのＦＡＸ番号に自動的に原稿の画像をＦＡＸ送信したり、そのメールアドレス情報を自動的に登録したりすることができ、ＦＡＸ送信やＥ−ｍａｉｌ送信のみを行うファクシミリ装置では、宛先の入力操作を簡略化することができる。
【０００８】
しかしながら、スキャンした原稿をコピーするコピーモードと、スキャンした原稿のデータをＦＡＸ送信したりＥ−ｍａｉｌ送信したりする送信モードとを有する画像形成装置では、原稿ガラス上に名刺が載置された場合、その名刺をコピーするのか、名刺から読み取ったファックス番号やメールアドレスに自動的にＦＡＸ送信若しくはＥ−ｍａｉｌ送信するのかが分からない。そのため、画像形成装置に対して上記公報に記載されたファクシミリ装置と同じ制御を行うと不都合が生じる。
【０００９】
そこで、従来の画像形成装置では、ＦＡＸ送信若しくはＥ−ｍａｉｌ送信する場合は、予め動作モードをＦＡＸモード若しくはＥ−ｍａｉｌ送信モードに切り替え、その後、名刺からＦＡＸ番号やメールアドレスを読み取り、そのＦＡＸ番号やメールアドレスにＦＡＸ送信若しくはＥ−ｍａｉｌ送信するように制御している。
【００１０】
しかしながら、上記方法では、動作モードの切り替えを手動で行わなければならず、動作モードの切り替え操作は画像形成装置の機種によって異なるため、操作性が悪いという問題があった。また、名刺をスキャンする場合は、ＦＡＸ送信若しくはＥ−ｍａｉｌ送信の場合が多いことから、コピー処理とＦＡＸ送信若しくはＥ−ｍａｉｌ送信処理とを同等に扱う方法では操作性が悪いという問題があった。
【００１１】
本発明は上記問題点に鑑みてなされたものであり、その主たる目的は、ＦＡＸ送信やＥ−ｍａｉｌ送信などの送信機能の操作性を向上させることができる画像形成装置を提供することにある。
【課題を解決するための手段】
【００１２】
上記目的を達成するため、本発明は、原稿の画像を読み取るスキャナ部を備え、読み取った原稿の画像を用紙に転写するコピーモードと読み取った原稿の画像を他の装置に送信する送信モードとを有する画像形成装置において、読み取った原稿の画像を解析して当該原稿の画像中に宛先情報が含まれているかを判断し、前記宛先情報が含まれている場合に、動作モードを前記送信モードに設定する制御部を備えるものである。
【００１３】
また、本発明は、原稿の画像を読み取るスキャナ部を備え、読み取った原稿の画像を用紙に転写するコピーモードと読み取った原稿の画像を他の装置に送信する送信モードとを有する画像形成装置において、読み取った原稿の画像を解析して当該原稿の画像中に宛先情報が含まれているかを判断し、前記宛先情報が含まれている場合に、動作モードの切り替えをユーザに促す画面を表示部に表示させる制御部を備えるものである。
【発明の効果】
【００１４】
本発明によれば、スキャンした原稿をコピーするコピーモードとスキャンした原稿のデータを送信する送信モードとを有する画像形成装置において、ＦＡＸ送信やＥ−ｍａｉｌ送信などの送信機能の操作性を向上させることができる。
【００１５】
その理由は、読み取った原稿が所定のサイズであり、かつ、当該原稿に宛先情報が含まれている場合は、動作モードを送信モードに設定し、送信モード設定後に読み込んだ原稿データを送信する制御を行うため、操作者は動作モードを手動で送信モードに切替えることなく、ＦＡＸ送信やＥ−ｍａｉｌ送信を行うことができるからである。
【００１６】
また、動作モードの切り替え時に、動作モードを切り替える旨のメッセージを表示して操作者に注意を促すため、操作者が意図しない動作モードで処理が実行される不都合が生じないからである。
【００１７】
また、原稿に複数の宛先が記載されている場合には、各宛先とそれに対する動作モードの一覧が選択可能に表示されるため、操作者が所望する動作モードで処理を実行することができるからである。
【図面の簡単な説明】
【００１８】
【図１】本発明の一実施例に係る画像形成システムの構成を模式的に示す図である。
【図２】本発明の一実施例に係る画像形成装置の構成を示すブロック図である。
【図３】本発明の一実施例に係る画像形成装置の動作を示すフローチャート図である。
【図４】送信先（宛先）の判定方法の一例を示す図である。
【図５】本発明の一実施例に係る画像形成装置の表示部に表示される画面（モード切替確認画面）の一例を示す図である。
【図６】本発明の一実施例に係る画像形成装置の表示部に表示される画面（モード選択画面）の一例を示す図である。
【図７】名刺と原稿の読み取り方法（原稿ガラス上に名刺と送信原稿を載置する場合）の一例を示す図である。
【図８】名刺と原稿の読み取り方法（原稿ガラス上に名刺を載置し送信原稿をＡＤＦから順次搬送する場合）の一例を示す図である。
【図９】名刺と原稿の読み取り方法（原稿ガラス上に名刺を載置し送信原稿をＡＤＦから順次搬送する場合）の他の例を示す図である。
【発明を実施するための形態】
【００１９】
背景技術で示したように、名刺に記載されたＦＡＸ番号やＥ−ｍａｉｌアドレスを読み取り、ＯＣＲ（Optical Character Reader）文字認識で宛先を取り出す技術が知られており、読み取ったＦＡＸ番号やＥ−ｍａｉｌアドレスに自動的にＦＡＸ送信若しくはＥ−ｍａｉｌ送信するファクシミリ装置が提案されている。
【００２０】
一方、ＦＡＸ送信機能やＥ−ｍａｉｌ送信機能を有する画像形成装置では、原稿ガラス上に名刺が載置された場合、その名刺をコピーするのか、名刺に記載されたファックス番号やメールアドレスにＦＡＸ送信若しくはＥ−ｍａｉｌ送信するのかが分からないため、操作者は予め動作モードを切り替えなければならない。しかしながら、原稿ガラス上に名刺が載置された場合はＦＡＸ送信若しくはＥ−ｍａｉｌ送信を行う場合が多く、ＦＡＸ送信若しくはＥ−ｍａｉｌ送信の度に動作モードを切り替えるのでは操作性が悪いという問題があった。
【００２１】
そこで、本発明の一実施の形態では、動作モードとしてコピーモードと送信モードとを有する画像形成装置において、読み取った原稿が所定のサイズであり、かつ、原稿に宛先情報が含まれている場合は、動作モードを送信モードに設定し、送信モード設定後に読み込んだ原稿データを送信したり、動作モードの切り替え時に、動作モードを切り替える旨のメッセージを通知したり、原稿に複数の宛先が記載されている場合、各宛先とそれに対する動作モードとの一覧を表示して、操作者に選択させたりする制御を行う。
【００２２】
これにより、動作モードを切り替える際の操作性を向上させることができ、間違った動作モードで処理が行われることもなく、また、宛先に応じた動作モードで適切に処理を実行することができる。
【実施例】
【００２３】
上記した本発明の一実施の形態についてさらに詳細に説明すべく、本発明の一実施例に係る画像形成装置について、図１乃至図９を参照して説明する。図１は、本実施例の画像形成システムの構成を模式的に示す図であり、図２は、画像形成装置の構成を示すブロック図、図３は、画像形成装置の動作を示すフローチャート図である。また、図４は、宛先の判定方法の一例を示す図であり、図５及び図６は、画像形成装置の表示部に表示される画面の一例を示す図である。また、図７乃至図９は、名刺と送信原稿の読み取り方法を示す図である。
【００２４】
図１に示すように、本実施例の画像形成システムは、原稿の画像を読み取り、コピーやＦＡＸ送信、Ｅ−ｍａｉｌ送信を行う画像形成装置１０と、画像形成装置１０からのＦＡＸ送信を受信するファクシミリ装置２０と、画像形成装置１０からのＥ−ｍａｉｌ送信を受信するコンピュータ装置３０などで構成され、画像形成装置１０とファクシミリ装置２０とは公衆回線などで接続され、画像形成装置１０とコンピュータ装置３０とは、ＬＡＮ（Local Area Network）やＷＡＮ（Wide Area Network）などの通信ネットワークで接続されている。
【００２５】
また、図２に示すように、画像形成装置１０は、ＣＰＵ（Central Processing Unit）１１と、ＲＯＭ（Read Only Memory）１２と、ＲＡＭ（Random Access Memory）１３と、外部インターフェース部１４と、ＨＤＤ（Hard Disk Drive）１５と、スキャナ部１６と、プリンタ部１７と、表示操作部１８などで構成される。
【００２６】
ＲＯＭ１２は、各種プログラム等を記憶する。ＲＡＭ１３は、ＣＰＵ１１による制御に必要なデータ及び制御動作時に一時記憶が必要なデータ等を記憶する。そして、ＣＰＵ１１は、ＲＯＭ１２、ＲＡＭ１３と協働して画像形成装置１０の動作を制御する制御部として機能する。
【００２７】
具体的には、ＣＰＵ１１は、スキャナ部１６に原稿の画像を読み取らせるスキャン処理と、読み取った原稿の画像を解析して特定の文字列を抽出するＯＣＲ解析処理と、プリンタ部１７に原稿の画像を印刷させるプリント機能と、公衆回線を用いて原稿の画像をファクシミリ装置２０に送信するＦＡＸ送信処理と、通信ネットワーク介して原稿の画像をコンピュータ装置３０に送信するＥ−ｍａｉｌ送信処理と、表示操作部１８に後述するモード切替確認画面やモード選択画面等を表示させたり、表示操作部１８の操作に応じた処理を実行する表示操作部処理などを実行する。
【００２８】
外部インターフェース部１４は、ＮＩＣ（Network Interface Card）やモデムなどで構成され、通信ネットワークを介してファクシミリ装置２０やコンピュータ装置３０との通信を行う。
【００２９】
ＨＤＤ１５は、スキャナ部１６で読み取った原稿の画像や当該画像から読み取った宛先情報などを記憶する。
【００３０】
スキャナ部１６は、原稿（名刺及び送信原稿）の画像を読み取る装置であり、原稿を順次搬送するＡＤＦ（Auto Document Feeder：自動原稿送り装置）と、原稿を載置する原稿ガラスと、原稿ガラスに載置された原稿やＡＤＦで搬送された原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。このスキャナ部１６の構造として、図７乃至図９に示す３つの形態が考えられる。
【００３１】
図７は、名刺と原稿を原稿ガラスで同時に読み取る形態の構造である。この形態では、名刺と送信原稿とは、原稿ガラス上に並べて配置する。その際、名刺と送信原稿とを区別するために、名刺と送信原稿との間に隙間を設けて配置する。そして、光源は原稿読取範囲を移動して、名刺と送信原稿とを順次読み取る。なお、名刺及び送信原稿は、原稿読取範囲内で所定の隙間を設けて配置されていればよく、その向きや位置は図の構成に限定されない。
【００３２】
図８は、名刺は原稿ガラス、送信原稿は自動原稿送り装置で読み取る形態であり、名刺の読取位置をハード的に固定とした場合の構造である。この形態では、送信原稿は、原稿読取可能範囲の端部（図の左端部）から所定の間隔を空けた位置（送信原稿読取位置）で読み取り、名刺は、送信原稿読取位置と重ならないように原稿読取可能範囲の端部（図の左端部）に配置する。そして、光源は原稿読取範囲を移動して名刺を読み取った後、送信原稿読込位置で送信原稿を読み取る。なお、名刺は、送信原稿読取位置と重ならないように配置されていればよく、その向きや位置は図の構成に限定されない。
【００３３】
図９も、名刺は原稿ガラス、送信原稿は自動原稿送り装置で読み取る形態であり、名刺を操作者の手前側に置き、送信原稿を奥側位置で読み取る場合の構造である。この形態では、送信原稿は、原稿読取可能範囲の端部（図の下端部）に所定の隙間を設けた位置（送信原稿読取位置）で読み取り、名刺は、送信原稿読取位置と重ならないように原稿読取可能範囲の端部（図の下端部）の名刺読取位置に配置する。そして、名刺読取位置で名刺を読み取った後、送信原稿読込位置で送信原稿を読み取る。なお、名刺は、送信原稿読取位置と重ならないように配置されていればよく、その向きや位置は図の構成に限定されない。
【００３４】
なお、図７乃至図９はスキャナ部１６の一例であり、名刺と送信原稿の画像を読み取ることができる構造であればよい。例えば、名刺サイズの原稿を自動原稿送り装置で搬送可能な場合は、名刺と送信原稿を自動原稿送り装置で搬送して読み取ってもよい。
【００３５】
プリンタ部１７は、電子写真方式や静電記録方式等の作像プロセスを利用した画像形成のために必要な要素、すなわち、帯電装置、感光体ドラム、露光装置、転写ローラ、転写ベルト、定着装置などで構成される。具体的には、帯電装置により帯電された感光体ドラムに露光装置からビットマップデータに応じた光を照射して静電潜像を形成し、現像装置で帯電したトナーを付着させて現像し、そのトナー像を一次転写ローラ、二次転写ベルトを介して紙媒体に転写して定着装置で定着させる処理を行う。
【００３６】
表示操作部１８は、ＬＣＤ（Liquid Crystal Display）などの表示部上に、透明電極が格子状に配置された感圧式の操作部（タッチパネル）を設けたものであり、手指やタッチペン等で押下された力点のＸＹ座標を電圧値で検出し、検出された位置信号を操作信号として制御部１１に出力する。本実施例では、動作モードをコピーモードから送信モードに切り替えることを操作者に確認するモード切替確認画面や宛先に応じた動作モードを操作者に選択させるモード選択画面などを表示し、当該画面でモードの切替や選択の操作を可能にする。
【００３７】
なお、本実施例の画像形成装置１０は、スキャンした原稿をコピーするモードと、スキャンした原稿のデータをＦＡＸ送信及び／又はＥ−ｍａｉｌ送信する送信モードとが実行可能な限りにおいて、その構成は適宜変更可能である。
【００３８】
また、ファクシミリ装置２０は、画像形成装置１０から送信された原稿のデータを受信してプリント又は表示する機能を備えていればよく、ＦＡＸの専用装置としてもよいし、コピー機能やプリンタ機能を備えた複合装置としてもよい。
【００３９】
また、コンピュータ装置３０は、画像形成装置１０から送信されたＥ−ｍａｉｌを受信して原稿のデータを表示する機能を備えていればよい。
【００４０】
以下、上記構成の画像形成装置１０の動作について、図３のフローチャート図を参照して説明する。なお、以下のフローにおいて、動作モードはデフォルトでコピーモードに設定されているものとする。
【００４１】
まず、操作者が表示操作部１８に設けられたスタートキーを押下すると、制御部（ＣＰＵ１１）は、自動原稿送り装置に原稿があるかを判断し（Ｓ１０１）、原稿がある場合は原稿ガラスに原稿があるかを判断する（Ｓ１０２）。そして、自動原稿送り装置に原稿があり（Ｓ１０１のＹｅｓ）、原稿ガラスに原稿がない（Ｓ１０２のＮｏ）場合は、原稿の中に所定のサイズの原稿（名刺）が含まれていないと考えられることから、コピー、スキャン、ファックスの通常処理を実行し（Ｓ１２５）、処理を終了する。
【００４２】
一方、自動原稿送り装置に原稿がない（Ｓ１０１のＮｏ）場合、若しくは、自動原稿送り装置に原稿があり（Ｓ１０１のＹｅｓ）、原稿ガラスに原稿がある（Ｓ１０２のＹｅｓ）場合は、制御部（ＣＰＵ１１）は、スキャナ部１６を用いて原稿ガラス上の原稿を読み取り（Ｓ１０３）、読み取った原稿を公知のＯＣＲ文字認識技術を利用して解析する（Ｓ１０４）。
【００４３】
次に、制御部（ＣＰＵ１１）は、読み取った原稿（スキャナ部１６が図７の構成の場合は先に読み取った原稿、図８の構成の場合はハード的に固定された読取位置で読み取った原稿、図９の構成の場合は、手前側に載置された原稿）にＦＡＸ番号やＥ−ｍａｉｌアドレスなどの宛先情報が含まれているかを判断する（Ｓ１０５）。
【００４４】
具体的には、図４に示すように、原稿中に”ＦＡＸ”、”Ｆａｘ”、”ファックス”、”ファクシミリ”等の文字列に続く１０桁の番号の羅列がある場合は、その１０桁の番号をＦＡＸ番号と判断する。また、”Ｅ−ｍａｉｌ”、”メール”等の文字列に続く英数字の羅列があり、その英数字の羅列の中にメールアドレス特有の文字である”＠”が含まれている場合は、その文字列をＥ−ｍａｉｌアドレスと判断する。
【００４５】
そして、判断の結果、原稿に宛先情報が含まれていない場合（すなわち、原稿ガラス上に名刺が載置されていない場合）は、コピーの通常処理を行い（Ｓ１２６）、処理を終了する。
【００４６】
一方、原稿に宛先情報が含まれている場合は、Ｓ１０３で読み取った原稿が２枚であるかを判断し（Ｓ１０６）、原稿が２枚の場合（すなわち、スキャナ部１６が図７の構成の場合）は、宛先情報を含む原稿を宛先原稿とし、もう一方を送信原稿の１枚目とする（Ｓ１０７）。また、原稿が１枚の場合（すなわち、スキャナ部１６が図８又は図９の構成の場合）は、読み取った原稿を宛先原稿とする（Ｓ１０８）。
【００４７】
ここで、本実施例では原稿に宛先情報を含む場合は、動作モードをＦＡＸ送信又はＥ−ｍａｉｌ送信などの送信モードに変更するが、名刺コピーのように宛先情報を含む原稿を単にコピーする場合もあり、単純に動作モードを変更すると名刺コピーを行う場合に不都合が生じる。そこで、本実施例では、制御部（ＣＰＵ１１）は、原稿読取に先立ち、ユーザ操作により動作モードが選択されたかを判断する（Ｓ１０９）。
【００４８】
そして、動作モードが選択された場合は、コピー、スキャン、ファックスの通常処理を実行し（Ｓ１２５）、処理を終了する。このように、ユーザ操作により動作モードが選択された場合に、その動作モードを優先することにより、原稿に宛先情報を含む場合に自動的にＦＡＸ送信又はＥ−ｍａｉｌ送信を行う場合の弊害を予防することができる。なお、動作モードを切り替えたかの版手は、動作モードを切り替えてから原稿を読み取るまでの時間で判定することができる。
【００４９】
一方、動作モードが選択されなかった場合は、送信モードの処理を行うが、その際、名刺（宛先原稿）にＦＡＸ番号とＥ−ｍａｉｌアドレスとが記載されている場合は、ＦＡＸ送信又はＥ−ｍａｉｌ送信のどちらを行えばよいかが分からない。また、名刺（宛先原稿）に複数のＦＡＸ番号又は複数のＥ−ｍａｉｌアドレスが記載されている場合は、どの宛先にＦＡＸ送信又はＥ−ｍａｉｌ送信すればよいかが分からない。そこで、本実施例では、制御部（ＣＰＵ１１）は、宛先原稿に複数の宛先情報が含まれるかを判断し（Ｓ１１０）、宛先情報が複数か否かに応じた処理を実行する。
【００５０】
例えば、宛先原稿に含まれる宛先情報が１つの場合は、現在の動作モードが何であるかを判断し（Ｓ１１１）、動作モードが送信モードの場合は、送信先に宛先原稿から読み込んだ宛先を設定する（Ｓ１１８）。一方、現在の動作モードがコピーモードの場合は、制御部（ＣＰＵ１１）は、図５に示すようなモード切替確認画面４０を表示操作部１８に表示させる。このモード切替確認画面４０には、名刺に記載された宛先に原稿のデータを送信するかを操作者に確認するメッセージと、宛先情報に対応する送信モード（宛先情報がＦＡＸ番号の場合はＦＡＸ送信モード、宛先情報がＥ−ｍａｉｌアドレスの場合はＥ−ｍａｉｌ送信モード）やコピーモードを指示するボタンとが表示され、操作者はモード切替確認画面４０で動作モードの切替の確認を行う。
【００５１】
そして、制御部（ＣＰＵ１１）は、動作モードの切替が確認されたかを判断し（Ｓ１１３）、操作者が動作モードの切替を確認した場合（すなわち、「はい、画像配信を行います…」のボタンが押下された場合）は、動作モードを送信モード（宛先がＦＡＸ番号の場合はＦＡＸ送信、宛先がＥ−ｍａｉｌアドレスの場合はＥ−ｍａｉｌ送信）に切り替えた後（Ｓ１１４）、送信先に宛先原稿から読み込んだ宛先を設定する（Ｓ１１８）。一方、操作者が動作モードの切替を確認しない場合（すなわち、「いいえ、この原稿をコピーします。」のボタンが押下された場合）は、コピーの通常処理を行い（Ｓ１２６）、処理を終了する。
【００５２】
このように、現在の動作モードがコピーモードの場合に、モード切替確認画面４０を表示操作部１８に表示させ、操作者が確認した後に動作モードを送信モードに切り替える制御を行うことにより、操作者の意図に反して原稿のデータがＦＡＸ送信若しくはＥ−ｍａｉｌ送信されるといった不都合を未然に防止することができる。
【００５３】
なお、本実施例では、操作者が動作モードの切替を確認する操作を必要とするが、この操作はモード切替確認画面４０に表示されるボタンを選択するだけであり、通常の操作画面で動作モードを切り替える場合よりも簡単な操作である。
【００５４】
また、本実施例では、操作者がモード切替確認画面４０で動作モードの切替を確認した後に動作モードの切替を行う構成としているが、例えば、動作モードの切替を操作者に通知する画面を表示した後に動作モードの切替を行う構成としたり、モード切替確認画面４０を一定時間表示し、その間に操作者が操作をしなかった場合は動作モードの切替を行う構成とすることもできる。
【００５５】
また、Ｓ１１０で、宛先原稿に複数の宛先情報が含まれる場合は、制御部（ＣＰＵ１１）は、表示操作部１８に、図６に示すようなモード選択画面４１を表示させる（Ｓ１１５）。このモード選択画面４１には、コピーを指示するボタンと、宛先原稿から読み取った各宛先に応じた送信処理を指示するボタンとが表示される。
【００５６】
なお、図では、宛先としてＦＡＸ番号とＥ−ｍａｉｌアドレスとが各々１つ含まれており、そのＦＡＸ番号にＦＡＸ送信若しくはそのＥ−ｍａｉｌアドレスにＥ−ｍａｉｌ送信するボタンが表示される例を示しているが、宛先として複数のＦＡＸ番号又は複数のＥ−ｍａｉｌアドレスが含まれている場合は、各ＦＡＸ番号にＦＡＸ送信若しくは各Ｅ−ｍａｉｌアドレスにＥ−ｍａｉｌ送信するボタンが表示される構成とすることができる。
【００５７】
そして、操作者が動作モードを選択すると、制御部（ＣＰＵ１１）は、操作者が選択した動作モードへの切り替えを行い（Ｓ１１６）、切り替えた動作モードがコピーモードの場合（Ｓ１１７のＹｅｓ）は、コピーの通常処理を行い（Ｓ１２６）、処理を終了する。一方、切り替えた動作モードがコピーモードでない場合（Ｓ１１７のＮｏ）は、送信先に宛先原稿から読み込んだ宛先を設定する（Ｓ１１８）。
【００５８】
このように、宛先原稿に複数の宛先がある場合に、モード選択画面４１を表示操作部１８に表示させ、操作者に動作モードを選択させる制御を行うことにより、操作者が所望する動作モードでの処理を実行することができる。
【００５９】
次に、制御部（ＣＰＵ１１）は、自動原稿送り装置に原稿があるかを判断し（Ｓ１１９）、原稿がある場合（すなわち、スキャナ部１６が図８又は図９の構成の場合）は、自動原稿送り装置から順次原稿を搬送し、スキャナ部１６を用いて送信原稿を読み込む（Ｓ１２３）。一方、自動原稿送り装置に原稿がない場合（すなわち、スキャナ部１６が図７の構成の場合）は、制御部（ＣＰＵ１１）は、送信原稿が複数枚であるかを判断し（Ｓ１２０）、複数枚の場合は、送信原稿の読み込み処理が完了するまで、次の送信原稿の読み込みを行う（Ｓ１２１、Ｓ１２２）。
【００６０】
このように、動作モードを送信モードに設定した後に読み取った原稿を送信対象とすることにより、動作モードの変更前に読み取った原稿がＦＡＸ送信若しくはＥ−ｍａｉｌ送信されることがなくなり、動作モードを自動的に変更する場合に起こりえる不都合を未然に防止することができる。なお、スキャナ部１６が図７の構成であり、原稿ガラス上に名刺と送信原稿が載置されている場合、当該送信原稿は動作モードの変更前に読み取った原稿となるが、この場合は、当該送信原稿をステップＳ１２１で再度読み取るようにすればよい。
【００６１】
そして、送信原稿を読み込んだ後、ステップＳ１１８で設定された宛先に対して、画像送信を実行する（Ｓ１２４）。
【００６２】
以上説明したように、画像形成装置１０の制御部（ＣＰＵ１１）が上記制御を行うことにより、ＦＡＸ送信やＥ−ｍａｉｌ送信などの送信モードの処理を行う場合の操作性を改善することができると共に、操作者の意図に反してＦＡＸ送信やＥ−ｍａｉｌ送信が行われることを防止し、操作者が所望する動作モードでの処理を実現することができる。
【００６３】
なお、上記各実施例では、送信モードとして、ＦＡ送信とＥ−ｍａｉｌ送信を例にして説明したが、本発明は上記実施例に限定されるものではなく、スキャンした原稿のデータを他の装置に送信するモードであればよく、例えば、スキャンした原稿のデータをデータサーバ等に送信する場合などに対しても同様に適用することができる。
【産業上の利用可能性】
【００６４】
本発明は、スキャナ機能とＦＡ送信機能及び／又はＥ−ｍａｉｌ送信機能とを備える画像形成装置に利用可能である。
【符号の説明】
【００６５】
１０  画像形成装置
１１  ＣＰＵ
１２  ＲＯＭ
１３  ＲＡＭ
１４  外部インターフェース部
１５  ＨＤＤ
１６  スキャナ部
１７  プリンタ部
１８  表示操作部
２０  ファクシミリ装置
３０  コンピュータ装置
４０  モード切替確認画面
４１  モード選択画面
【図１】
2011009932.tif 000003
【図２】
2011009932.tif 000004
【図３】
2011009932.tif 000005
【図４】
2011009932.tif 000006
【図５】
2011009932.tif 000007
【図６】
2011009932.tif 000008
【図７】
2011009932.tif 000009
【図８】
2011009932.tif 000010
【図９】
2011009932.tif 000011